(57)【要約】【課題】正面など所望の向きの顔を含む画像を効率的に取得する。【解決手段】画像抽出装置は、時間的に連続する複数の画像を格納する画像格納部と、複数の画像の一部である複数の第１画像を抽出する第１画像抽出部と、複数の第１画像のそれぞれに含まれる顔が向いている方向を特定する顔向き特定部と、時間的に連続する２つの第１画像のそれぞれに含まれる顔が向いている方向の間に予め定められた方向が含まれる場合、２つの第１画像の間の少なくとも１つの第２画像を複数の画像から抽出し、又は第１画像に含まれる顔が向いている方向が予め定められた方向の範囲に含まれる場合、第１画像と第１画像の前もしくは後に連続する他の第１画像との間の少なくとも１つの第２画像を複数の画像から抽出する第２画像抽出部とを備える。【選択図】図２
2018036894.tif 000002
【特許請求の範囲】
【請求項１】
時間的に連続する複数の画像を格納する画像格納部と、
前記複数の画像の一部である複数の第１画像を抽出する第１画像抽出部と、
前記複数の第１画像のそれぞれに含まれる顔が向いている方向を特定する顔向き特定部と、
時間的に連続する２つの第１画像のそれぞれに含まれる顔が向いている方向の間に予め定められた方向が含まれる場合、前記２つの第１画像の間の少なくとも１つの第２画像を前記複数の画像から抽出し、又は前記第１画像に含まれる顔が向いている方向が予め定められた方向の範囲に含まれる場合、前記第１画像と前記第１画像の前もしくは後に連続する他の第１画像との間の少なくとも１つの第２画像を前記複数の画像から抽出する第２画像抽出部と
を備える画像抽出装置。
【請求項２】
前記画像格納部は、先入れ先出し方式で予め定められた数の前記複数の画像を格納する、請求項１に記載の画像抽出装置。
【請求項３】
前記画像格納部は、撮像装置が特定の領域を撮像することにより得られた前記複数の画像を格納する、請求項１又は２に記載の画像抽出装置。
【請求項４】
前記撮像装置は、遊技台の周辺に設置されている、請求項３に記載の画像抽出装置。
【請求項５】
前記撮像装置は、前記遊技台の遊技に関する処理を実行する遊技周辺機器に設置されている、請求項４に記載の画像抽出装置。
【請求項６】
請求項１から５の何れか１つに記載の画像抽出装置と、
前記複数の第１画像及び前記少なくとも１つの第２画像のそれぞれから、顔に相当するオブジェクトの顔の顔らしさを示す顔信頼度を導出する顔信頼度導出部と、
前記顔信頼度導出部により導出された顔信頼度が基準顔信頼度より大きいか否かを判定する顔信頼度判定部と、
前記複数の第１画像及び前記少なくとも１つの第２画像のそれぞれに含まれる顔が向いている方向が、予め定められた方向の範囲に含まれるか否かを判定する顔向き判定部と、
前記複数の第１画像及び前記少なくとも１つの第２画像の中から、前記顔信頼度判定部により顔信頼度が前記基準顔信頼度より大きいと判定され、かつ前記顔向き判定部により顔が向いている方向が前記予め定められた方向の範囲に含まれると判定されたオブジェクトを含む第３画像を抽出する第３画像抽出部と、
前記第３画像抽出部により抽出された前記第３画像に含まれる顔の画像を、顔データベースに格納されている顔の画像と照合する照合部と
を備える顔照合システム。
【請求項７】
前記顔信頼度導出部は、前記複数の第１画像から前記顔信頼度を第１精度で導出し、前記少なくとも１つの第２画像から前記顔信頼度を前記第１精度より高い第２精度で導出する、請求項６に記載の顔照合システム。
【請求項８】
請求項６又は７に記載の顔照合システムを備える遊技者管理システムであって、
遊技機の遊技に関する処理を実行する遊技周辺機器であって、前記画像抽出装置、前記顔信頼度導出部、前記顔信頼度判定部、及び前記第３画像抽出部を有する遊技周辺機器と、
前記照合部、及び前記顔データベースを有する顔照合装置と
を備える遊技者管理システム。
【請求項９】
前記遊技周辺機器は、前記第３画像抽出部により抽出された前記第１画像及び前記第２画像を前記顔照合装置に送信し、前記第３画像抽出部により抽出されていない前記第１画像及び前記第２画像を前記顔照合装置に送信しない、請求項８に記載の遊技者管理システム。
【請求項１０】
時間的に連続する複数の画像を画像格納部に格納する段階と、
前記複数の画像の一部である複数の第１画像を抽出する段階と、
前記複数の第１画像のそれぞれに含まれる顔の向きを特定する段階と、
時間的に連続する２つの第１画像のそれぞれに含まれる顔が向いている方向の間に予め定められた方向が含まれる場合、前記２つの第１画像の間の少なくとも１つの第２画像を前記複数の画像から抽出し、又は前記第１画像に含まれる顔が向いている方向が予め定められた方向の範囲に含まれる場合、前記第１画像と前記第１画像の前もしくは後に連続する他の第１画像との間の少なくとも１つの第２画像を前記複数の画像から抽出する段階と
を備える画像抽出方法。
【請求項１１】
時間的に連続する複数の画像を画像格納部に格納する段階と、
前記複数の画像の一部である複数の第１画像を抽出する段階と、
前記複数の第１画像のそれぞれに含まれる顔の向きを特定する段階と、
時間的に連続する２つの第１画像のそれぞれに含まれる顔が向いている方向の間に予め定められた方向が含まれる場合、前記２つの第１画像の間の少なくとも１つの第２画像を前記複数の画像から抽出し、又は前記第１画像に含まれる顔が向いている方向が予め定められた方向の範囲に含まれる場合、前記第１画像と前記第１画像の前もしくは後に連続する他の第１画像との間の少なくとも１つの第２画像を前記複数の画像から抽出する段階と
をコンピュータに実行させるためのプログラム。
【発明の詳細な説明】
【技術分野】
【０００１】
本発明は、画像抽出装置、顔照合システム、遊技者管理システム、画像抽出方法、及びプログラムに関する。
【背景技術】
【０００２】
特許文献１及び特許文献２に記載されているように、撮像装置により撮像された遊技者の顔の画像を利用して、各遊技者の遊技動向又は趣向などを分析する顧客分析システム及び不審者などの特定の人物を監視する監視システムが知られている。
特許文献１  特開２０１１−１３９８７２号公報
特許文献２  特開２０１２−１４５６８号公報
【発明の概要】
【発明が解決しようとする課題】
【０００３】
上記のような顧客分析システム及び監視システムなど顔の画像を利用するシステムによれば、正面など所望の向きの顔を含む画像を効率的に取得することが望ましい場合がある。
【課題を解決するための手段】
【０００４】
本発明の一態様に係る画像抽出装置によれば、時間的に連続する複数の画像を格納する画像格納部と、複数の画像の一部である複数の第１画像を抽出する第１画像抽出部と、複数の第１画像のそれぞれに含まれる顔が向いている方向を特定する顔向き特定部と、時間的に連続する２つの第１画像のそれぞれに含まれる顔が向いている方向の間に予め定められた方向が含まれる場合、２つの第１画像の間の少なくとも１つの第２画像を複数の画像から抽出し、又は第１画像に含まれる顔が向いている方向が予め定められた方向の範囲に含まれる場合、第１画像と第１画像の前もしくは後に連続する他の第１画像との間の少なくとも１つの第２画像を複数の画像から抽出する第２画像抽出部とを備える。
【０００５】
画像格納部は、先入れ先出し方式で予め定められた数の複数の画像を格納してよい。
【０００６】
画像格納部は、撮像装置が特定の領域を撮像することにより得られた複数の画像を格納してよい。
【０００７】
撮像装置は、遊技台の周辺に設置されてよい。
【０００８】
撮像装置は、遊技台の遊技に関する処理を実行する遊技周辺機器に設置されてよい。
【０００９】
本発明の一態様に係る顔照合システムによれば、上記画像抽出装置と、複数の第１画像及び少なくとも１つの第２画像のそれぞれから、顔に相当するオブジェクトの顔の顔らしさを示す顔信頼度を導出する顔信頼度導出部を備えてよい。顔照合システムは、顔信頼度導出部により導出された顔信頼度が基準顔信頼度より大きいか否かを判定する顔信頼度判定部を備えてよい。顔照合システムは、複数の第１画像及び少なくとも１つの第２画像のそれぞれに含まれる顔が向いている方向が、予め定められた方向の範囲に含まれるか否かを判定する顔向き判定部を備えてよい。顔照合システムは、複数の第１画像及び少なくとも１つの第２画像の中から、顔信頼度判定部により顔信頼度が基準顔信頼度より大きいと判定され、かつ顔向き判定部により顔が向いている方向が予め定められた方向の範囲に含まれると判定されたオブジェクトを含む第３画像を抽出する第３画像抽出部を備えてよい。顔照合システムは、第３画像抽出部により抽出された第３画像に含まれる顔の画像を、顔データベースに格納されている顔の画像と照合する照合部を備えてよい。
【００１０】
顔信頼度導出部は、複数の第１画像から顔信頼度を第１精度で導出し、少なくとも１つの第２画像から顔信頼度を第１精度より高い第２精度で導出してよい。
【００１１】
本発明の一態様に係る遊技者管理システムは、上記顔照合システムを備える。遊技者管理システムは、遊技機の遊技に関する処理を実行する遊技周辺機器であって、撮像装置、画像抽出装置、第１顔信頼度導出部、第１顔信頼度判定部、第２顔信頼度導出部、第２顔信頼度判定部を備えてよい。遊技者管理システムは、第３画像抽出部を有する遊技周辺機器と、照合部、及び顔データベースを有する顔照合装置を備えてよい。
【００１２】
遊技周辺機器は、第３画像抽出部により抽出された第１画像及び第２画像を顔照合装置に送信し、第３画像抽出部により抽出されていない第１画像及び第２画像を顔照合装置に送信しなくてよい。
【００１３】
本発明の一態様に係る画像抽出方法は、時間的に連続する複数の画像を画像格納部に格納する段階と、複数の画像の一部である複数の第１画像を抽出する段階と、複数の第１画像のそれぞれに含まれる顔の向きを特定する段階と、時間的に連続する２つの第１画像のそれぞれに含まれる顔が向いている方向の間に予め定められた方向が含まれる場合、２つの第１画像の間の少なくとも１つの第２画像を複数の画像から抽出し、又は第１画像に含まれる顔が向いている方向が予め定められた方向の範囲に含まれる場合、第１画像と第１画像の前もしくは後に連続する他の第１画像との間の少なくとも１つの第２画像を複数の画像から抽出する段階とを備える。
【００１４】
本発明の一態様に係るプログラムは、時間的に連続する複数の画像を画像格納部に格納する段階と、複数の画像の一部である複数の第１画像を抽出する段階と、複数の第１画像のそれぞれに含まれる顔の向きを特定する段階と、時間的に連続する２つの第１画像のそれぞれに含まれる顔が向いている方向の間に予め定められた方向が含まれる場合、２つの第１画像の間の少なくとも１つの第２画像を複数の画像から抽出し、又は第１画像に含まれる顔が向いている方向が予め定められた方向の範囲に含まれる場合、第１画像と第１画像の前もしくは後に連続する他の第１画像との間の少なくとも１つの第２画像を複数の画像から抽出する段階とをコンピュータに実行させる。
【００１５】
上記の発明の概要は、本発明の特徴の全てを列挙したものではない。これらの特徴群のサブコンビネーションも発明となりうる。
【図面の簡単な説明】
【００１６】
【図１】遊技システムの全体構成の一例を示すシステム構成図である。
【図２】画像処理ユニットのより詳細な機能ブロックを示す図である。
【図３】顔が向いている方向について説明するための図である。
【図４】生体情報認識装置の機能ブロックを示す図である。
【図５】表示装置の機能ブロックを示す図である。
【図６】画像取得部による画像取得処理の手順の一例を示すフローチャートである。
【図７】画像抽出処理全体の手順の一例を示すフローチャートである。
【図８】画像抽出処理全体の手順の一例を示すフローチャートである。
【図９】通常画像抽出処理の手順の一例を示すフローチャートである。
【図１０】高速画像抽出処理の手順の一例を示すフローチャートである。
【図１１】通常画像抽出処理について説明するための図である。
【図１２】高速画像抽出処理について説明するための図である。
【図１３】高速画像抽出処理について説明するための図である。
【図１４】コンピュータの一例を示す図である。
【発明を実施するための形態】
【００１７】
以下、発明の実施の形態を通じて本発明を説明するが、以下の実施形態は特許請求の範囲に係る発明を限定するものではない。また、実施形態の中で説明されている特徴の組み合わせの全てが発明の解決手段に必須であるとは限らない。
【００１８】
本発明の様々な実施形態は、フローチャート及びブロック図を参照して記載されてよく、ここにおいてブロックは、（１）操作が実行されるプロセスの段階又は（２）操作を実行する役割を持つ装置の「部」を表わしてよい。特定の段階及び「部」が、専用回路、コンピュータ可読媒体上に格納されるコンピュータ可読命令と共に供給されるプログラマブル回路、及び／又はコンピュータ可読媒体上に格納されるコンピュータ可読命令と共に供給されるプロセッサによって実装されてよい。専用回路は、デジタル及び／又はアナログハードウェア回路を含んでよく、集積回路（ＩＣ）及び／又はディスクリート回路を含んでよい。プログラマブル回路は、論理ＡＮＤ、論理ＯＲ、論理ＸＯＲ、論理ＮＡＮＤ、論理ＮＯＲ、及び他の論理操作、フリップフロップ、レジスタ、フィールドプログラマブルゲートアレイ（ＦＰＧＡ）、プログラマブルロジックアレイ（ＰＬＡ）等のようなメモリ要素等を含む、再構成可能なハードウェア回路を含んでよい。
【００１９】
コンピュータ可読媒体は、適切なデバイスによって実行される命令を格納可能な任意の有形なデバイスを含んでよく、その結果、そこに格納される命令を有するコンピュータ可読媒体は、フローチャート又はブロック図で指定された操作を実行するための手段を作成すべく実行され得る命令を含む、製品を備えることになる。コンピュータ可読媒体の例としては、電子記憶媒体、磁気記憶媒体、光記憶媒体、電磁記憶媒体、半導体記憶媒体等が含まれてよい。コンピュータ可読媒体のより具体的な例としては、フロッピー（登録商標）ディスク、ディスケット、ハードディスク、ランダムアクセスメモリ（ＲＡＭ）、リードオンリメモリ（ＲＯＭ）、消去可能プログラマブルリードオンリメモリ（ＥＰＲＯＭ又はフラッシュメモリ）、電気的消去可能プログラマブルリードオンリメモリ（ＥＥＰＲＯＭ）、静的ランダムアクセスメモリ（ＳＲＡＭ）、コンパクトディスクリードオンリメモリ（ＣＤ-ＲＯＭ）、デジタル多用途ディスク（ＤＶＤ）、ブルーレイ（ＲＴＭ）ディスク、メモリスティック、集積回路カード等が含まれてよい。
【００２０】
コンピュータ可読命令は、アセンブラ命令、命令セットアーキテクチャ（ＩＳＡ）命令、マシン命令、マシン依存命令、マイクロコード、ファームウェア命令、状態設定データ、又はＳｍａｌｌｔａｌｋ、ＪＡＶＡ（登録商標）、Ｃ＋＋等のようなオブジェクト指向プログラミング言語、及び「Ｃ」プログラミング言語又は同様のプログラミング言語のような従来の手続型プログラミング言語を含む、１又は複数のプログラミング言語の任意の組み合わせで記述されたソースコード又はオブジェクトコードの何れかを含んでよい。
【００２１】
コンピュータ可読命令は、汎用コンピュータ、特殊目的のコンピュータ、若しくは他のプログラム可能なデータ処理装置のプロセッサ又はプログラマブル回路に対し、ローカルに又はローカルエリアネットワーク（ＬＡＮ）、インターネット等のようなワイドエリアネットワーク（ＷＡＮ）を介して提供され、フローチャート又はブロック図で指定された操作を実行するための手段を作成すべく、コンピュータ可読命令を実行してよい。プロセッサの例としては、コンピュータプロセッサ、処理ユニット、マイクロプロセッサ、デジタル信号プロセッサ、コントローラ、マイクロコントローラ等を含む。
【００２２】
図１は、本実施形態に係る遊技システム１０００の全体構成の一例を示すシステム構成図である。遊技システム１０００は、遊技店に設置される。遊技システム１０００は、台間機１０、遊技台２０、計数機７０、精算機８０、生体情報認識装置２００、生体情報データベース２３０、遊技店管理装置３００、遊技台管理データベース３３０、媒体貸出管理装置４００、媒体貸出管理データベース４３０、及び表示装置２５０、３５０、及び４５０を備える。
【００２３】
遊技システム１０００は、遊技者が遊技する遊技台２０を管理する。例えば、遊技システム１０００は、遊技者に貸し出された遊技媒体の情報を管理する。遊技システム１０００は、例えば、遊技者の来店状況、遊技台の稼動状況などを収集し、遊技者の動向を分析する。遊技システム１０００は、遊技者の不正行為などを監視してよい。
【００２４】
遊技台２０は、例えば、パチンコ機又はスロットマシンである。計数機７０は、遊技者が遊技台２０を遊技することにより獲得した遊技媒体の数を計数し、計数結果を磁気カード、レシートなどに示して出力する。精算機８０は、例えば、遊技媒体を借りるための点数を記録したプリペイドカードを販売する。精算機８０は、販売したプリペイドカードの点数の情報と払い受けた金額の情報とを媒体貸出管理装置４００に供給する。また、精算機８０は、度数として貸し出した遊技媒体の残数の情報に基づいて現金を精算して払い出す。精算機８０は、プリペイドカードの残度数の情報と払い戻した現金の金額の情報とを媒体貸出管理装置４００に供給する。
【００２５】
台間機１０は、遊技者が遊技台２０で遊技する場合に、プリペイドカードなどの記録媒体、又は現金などにより遊技者が指定した点数、金額などを受け付け、受け付けた点数、金額などに応じた数量の遊技媒体を貸し出す。台間機１０は、貸し出した遊技媒体の数量の情報を媒体貸出管理装置４００に供給する。媒体貸出管理装置４００は、受け付けた現金又はプリペイドカードの残数などの情報と共に、貸し出した遊技媒体の数量の情報を管理する。台間機１０は、遊技台２０の遊技に関する処理を実行する遊技周辺機器の一例である。
【００２６】
台間機１０は、撮像装置３０及び画像処理ユニット１００を備える。撮像装置３０は、時間的に連続する複数の画像を撮像する。撮像装置３０は、予め定められた周期（予め定められたフレームレート）で、時間的に連続する複数の画像を撮像してよい。撮像装置３０は、遊技台２０側から遊技台２０を使用している遊技者の顔を含む画像を撮像する。画像処理ユニット１００は、撮像装置３０により撮像された複数の画像から遊技者の顔を含む画像を抽出する。画像処理ユニット１００は、抽出された画像に含まれる顔を示すオブジェクトを画像分析して、オブジェクトの顔らしさを示す顔信頼度などを導出し、顔信頼度が高いオブジェクトを含む画像を生体情報認識装置２００に供給する。
【００２７】
なお、本実施形態では、遊技者の顔を撮像するための撮像装置３０を台間機１０に設置する例について説明する。しかし、撮像装置３０は、任意の場所に設置されてよい。撮像装置３０は、遊技者などのユーザが操作するユーザインタフェースであるボタン、タッチパネル、現金の投入口、ＩＣカードの挿入口などの操作部の近傍に設置されてよい。撮像装置３０は、遊技台２０の周辺に設置されてよい。撮像装置３０は、遊技台２０の周辺に設置されてよい。撮像装置３０は、例えば、遊技者の顔を撮像できる遊技店内及び遊技店周辺の任意の場所に設置されてよい。撮像装置３０は、計数機７０及び精算機８０の付近、遊技店の出入口付近に設置されてよい。
【００２８】
生体情報データベース２３０は、遊技店に来店した遊技者の属性情報を格納する。生体情報認識装置２００は、遊技店に来店した遊技者の属性情報を生体情報データベース２３０に登録し、管理する。なお、生体情報データベース２３０は、顔データベースの一例である。
【００２９】
遊技店管理装置３００は、いわゆるホールコンピュータであり、遊技台２０の動作を監視する。遊技店管理装置３００は、遊技台２０の出玉又はメダルの払い出しの情報、遊技台２０のエラー情報などを管理する。
【００３０】
表示装置２５０、３５０、及び４５０は、遊技店の店員により利用される。表示装置２５０は、生体情報認識装置２００で管理されている情報を表示する。表示装置３５０は、遊技店管理装置３００に管理されている情報を表示する。表示装置４５０は、媒体貸出管理装置４００に管理されている情報を表示する。
【００３１】
上記のように構成された遊技システム１０００において、生体情報認識装置２００は、台間機１０に設置された撮像装置３０により撮像された画像に含まれる遊技者の顔の画像と、生体情報データベース２３０に格納されている複数の遊技者の顔の画像とを照合し、遊技者の個人認証を行う。このような照合に利用される画像に含まれる遊技者の顔が向いている方向は、特定の方向であることが好ましい。例えば、画像に含まれる遊技者の顔の方向は、顔が正面を向いている方向であることが好ましい。
【００３２】
ところが、撮像装置３０に撮像されている遊技者は、撮像装置３０に撮像されていることを意識していないこともある。したがって、撮像装置３０により撮像された画像は、必ずしも正面などの特定の方向を向く顔を含むとは限らない。画像処理ユニット１００が、撮像装置３０が比較的に短い間隔で撮像した画像を全て処理して、正面を向く顔を含む画像を抽出することも考えられる。しかし、このように全ての画像を処理すると、画像処理ユニット１００の処理の負担が大きくなる。画像処理ユニット１００の処理速度が低下する場合もある。画像処理ユニット１００の処理速度が低下すると、生体情報認識装置２００による顔の照合の速度も低下する。
【００３３】
そこで、本実施形態に係る遊技システム１０００によれば、画像処理ユニット１００の処理負担の増大を抑制しつつ、効率的に予め定められた方向を向いている顔を含む画像を抽出する。
【００３４】
図２は、画像処理ユニット１００の機能ブロックを示す図である。画像処理ユニット１００は、画像取得部１０２、画像格納部１０４、第１画像抽出部１０６、顔信頼度導出部１０８、顔信頼度判定部１１０、顔向き格納部１１４、顔向き特定部１１２、第２画像抽出部１１６、顔向き判定部１１８、第３画像抽出部１２０、及び送受信部１２２を備える。
【００３５】
画像取得部１０２は、撮像装置３０により時間的に連続して撮像された複数の画像を順次取得する。画像取得部１０２は、予め定められた時間間隔毎に撮像装置３０から画像を取得する。画像取得部１０２は、例えば、毎秒３０枚（３０ｆｐｓ）で撮像装置３０から画像を取得する。画像格納部１０４は、画像取得部１０２が撮像装置３０から取得した時間的に連続する複数の画像を格納する。画像格納部１０４は、撮像装置３０が特定の領域を撮像することにより得られた複数の画像を格納する。画像格納部１０４は、先入れ先出し方式で予め定められた数の複数の画像を格納する。画像格納部１０４は、例えば、画像取得部１０２が撮像装置３０から取得した最新の３０枚の画像を格納する。
【００３６】
第１画像抽出部１０６は、画像格納部１０４に格納された複数の画像の一部である複数の第１画像を抽出する。第１画像抽出部１０６は、予め定められた時間間隔毎に画像格納部１０４から最新の１枚の画像を第１画像として抽出する。第１画像抽出部１０６は、例えば、毎秒３枚（３ｆｐｓ）で画像格納部１０４から最新の１枚の画像を第１画像として抽出する。
【００３７】
顔信頼度導出部１０８は、複数の第１画像のそれぞれから顔に相当するオブジェクトの顔の顔らしさを示す顔信頼度を導出する。顔信頼度が高い画像ほど、照合に適した画像である。顔信頼度導出部１０８は、画像に含まれる顔の特徴量及び顔の特徴を示す器官の器官らしさを示す器官信頼度を顔信頼度として導出してよい。特徴量は、人物などの対象物を識別可能な情報であればよく、画像の画素値の情報、又は画像に含まれる顔の目、鼻、口の間隔又は大きさ、肌の色、髪型などの外見的特徴を数値で示した情報でよい。画像に含まれるオブジェクトの特徴量が高いほど、そのオブジェクトが顔である可能性が高いことを示す。つまり、画像に含まれるオブジェクトの特徴量が高いほど、照合に適した画像である。
【００３８】
顔信頼度導出部１０８は、画像内のオブジェクトから、顔を構成する器官（例えば、目、耳、鼻、口、額、顎、輪郭）を抽出し、抽出された器官の位置情報を導出する。そして、顔信頼度導出部１０８は、抽出された器官と、抽出された器官の位置情報とに基づいて、オブジェクトの器官信頼度を導出してよい。
【００３９】
器官信頼度は、顔を含む画像毎の照合処理に適する度合いを示すものである。したがって、器官信頼度が高い画像ほど、照合に適した画像である。例えば、器官信頼度は、器官のうち、目、耳、鼻、口、額、顎、輪郭などの有無により、器官毎に点数を設定した合計となる数値でよい。また、器官信頼度は、左右の目又は耳と、鼻又は口との距離の比率、あるいは、額及び鼻の距離と、顎及び鼻の距離との比率などに基づいて導出される数値でよい。
【００４０】
顔信頼度判定部１１０は、顔信頼度導出部１０８により導出された顔信頼度が基準顔信頼度より大きいか否かを判定する。顔信頼度判定部１１０は、特徴量が予め定められた基準特徴量より大きく、かつ器官信頼度が予め定められた基準器官信頼度より大きい場合、画像に含まれるオブジェクトが顔による照合に適していると判断する。
【００４１】
顔向き特定部１１２は、画像に含まれる顔が向いている方向を特定する。顔向き特定部１１２は、画像の法線方向を基準として、画像の左右方向（すなわち横方向、又は水平方向）における角度を顔の向きの指標として導出する。顔向き特定部１１２は、さらに、画像の法線方向を基準として、画像の上下方向（すなわち縦方向、又は垂直方向）における角度を顔の向きの指標として導出する。加えて、顔向き特定部１１２は、画像の法線方向の軸を中心とした顔の回転角度を導出してよい。顔向き特定部１１２は、顔の中心線と画像の上下方向の線（垂直線）とのなす角度を顔の回転角度として導出してよい。
【００４２】
顔向き格納部１１４は、顔向き特定部１１２により特定された、画像に含まれる顔が向いている方向を格納する。顔向き判定部１１８は、画像に含まれる顔が向いている方向が、予め定められた方向の範囲に含まれるか否かを判定する。顔向き判定部１１８は、顔向き特定部１１２により特定された顔の方向が、画像の法線方向を含む予め定められた方向の範囲内にある画像を照合に適した画像と判定する。画像の法線方向を含む予め定められた方向の範囲は、画像に含まれる顔の画像を利用して照合部２１０が顔の照合を行う場合に同一人物であるにもかかわらず別の人物として照合される可能性が低い角度の範囲でよい。予め定められた方向の範囲は、例えば、照合部２１０の照合性能に応じて、定められてよい。画像の法線方向を含む予め定められた方向の範囲が、顔の方向が撮像装置３０（の撮像面）に対して真正面以外の方向である場合も含む。画像の法線方向を含む予め定められた方向の範囲は、顔の方向が撮像装置３０（の撮像面）に対して真正面を向いている方向を含むある程度幅のある角度の範囲である。例えば、図３に示すように、画像の法線方向、すなわち撮像装置３０の撮像面の法線方向３２を基準とした画像の左右方向の角度が予め定められた第１角の範囲（−θ〜＋θ：例えば、−１０度〜＋１０度）に、遊技者９０の顔の向きが含まれる場合、顔向き判定部１１８は、画像に含まれる顔の方向が、予め定められた方向の範囲に含まれていると判定する。
【００４３】
顔向き判定部１１８は、画像に含まれる顔の向きが、画像の法線方向を基準として画像の左右方向に予め定められた第１角度の範囲内にある画像を照合に適した画像と判定してよい。顔向き判定部１１８は、画像に含まれる顔の向きが、画像の法線方向を基準として第１角度の範囲内にあり、かつ画像の上下方向に予め定められた第２角度の範囲内にある画像を照合に適した画像と判定してよい。顔向き判定部１１８は、画像に含まれる顔の向きが、画像の法線方向を基準として第１角度の範囲内にあり、かつ第２角度の範囲内にあり、画像の法線方向の軸を中心とした顔の回転角度が予め定められた第３角度の範囲内にある画像を照合に適した画像と判定してよい。
【００４４】
第２画像抽出部１１６は、時間的に連続する２つの第１画像のそれぞれに含まれる顔が向いている方向の間に予め定められた方向が含まれる場合、２つの第１画像の間の少なくとも１つの第２画像を、画像格納部１０４に格納された複数の画像から抽出する。第２画像抽出部１１６は、時間的に連続する２つの第１画像のそれぞれに含まれる顔の方向の間に、画像の法線方向が含まれる場合、その２つの第１画像の間で、顔が撮像装置３０（の撮像面）に対して真正面を通過したと判断する。つまり、第２画像抽出部１１６は、時間的に連続する２つの第１画像のそれぞれに含まれる顔の方向の間に、画像の法線方向が含まれる場合、その２つの第１画像の間に撮像装置３０により撮像され、画像格納部１０４に格納された画像の中に、顔が撮像装置３０（の撮像面）に対して正面を向く画像が含まれている可能性が高いと判断する。そこで、第２画像抽出部１１６は、２つの第１画像の間の少なくとも１つの第２画像を、画像格納部１０４に格納された複数の画像から抽出する。
【００４５】
また、第２画像抽出部１１６は、第１画像に含まれる顔が向いている方向が予め定められた方向の範囲に含まれる場合、第１画像と第１画像の前もしくは後に連続する他の第１画像との間の少なくとも１つの第２画像を、画像格納部１０４に格納された複数の画像から抽出してよい。第２画像抽出部１１６は、第１画像に含まれる顔が向いている方向が、が、第１画像の法線方向を基準として第１画像の左右方向に予め定められた第１角度の範囲内にある場合、その第１画像とその第１画像の前もしくは後に連続する他の第１画像との間の少なくとも１つの第２画像を、画像格納部１０４に格納された複数の画像から抽出してよい。第２画像抽出部１１６は、第１画像に含まれる顔が向いている方向が、第１画像の法線方向を基準として第１角度の範囲内にあり、かつ第１画像の上下方向に予め定められた第２角度の範囲内にある場合、その第１画像とその第１画像の前もしくは後に連続する他の第１画像との間の少なくとも１つの第２画像を、画像格納部１０４に格納された複数の画像から抽出してよい。第２画像抽出部１１６は、第１画像に含まれる顔が向いている方向が、画像の法線方向を基準として第１角度の範囲内にあり、かつ第２角度の範囲内にあり、画像の法線方向の軸を中心とした顔の回転角度が予め定められた第３角度の範囲内にある場合、その第１画像とその第１画像の前もしくは後に連続する他の第１画像との間の少なくとも１つの第２画像を、画像格納部１０４に格納された複数の画像から抽出してよい。
【００４６】
顔信頼度導出部１０８は、第２画像抽出部１１６により抽出された少なくとも１つの第２画像の顔信頼度を導出する。顔信頼度導出部１０８は、第１画像から顔信頼度を第１精度で導出し、第２画像から顔信頼度を第１精度より高い第２精度で導出してよい。例えば、顔信頼度導出部１０８により導出される第２画像に含まれる顔の外見的特徴を示す数値のダイナミックレンジは、顔信頼度導出部１０８により導出される第１画像に含まれる顔の外見的特徴を示す数値のダイナミックレンジより広くてよい。顔信頼度導出部１０８により導出される第２画像に含まれる器官毎の点数のダイナミックレンジが、顔信頼度導出部１０８により導出される第１画像に含まれる器官毎の点数のダイナミックレンジより広くてよい。
【００４７】
顔信頼度判定部１１０は、第１画像の顔信頼度が第１基準顔信頼度より大きいか否かを判定し、第２画像の顔信頼度が第２基準顔信頼度より大きいか否かを判定してよい。第１基準顔信頼度と第２基準信頼度とは異なる値でよい。
【００４８】
第３画像抽出部１２０は、複数の第１画像及び少なくとも１つの第２画像の中から、顔信頼度判定部１１０により顔信頼度が基準顔信頼度より大きいと判定され、かつ顔向き判定部１１８により顔が向いている方向が予め定められた方向の範囲に含まれると判定されたオブジェクトを含む第３画像を照合に適した照合用の画像として抽出する。第３画像抽出部１２０は、複数の第１画像及び少なくとも１つの第２画像の中から、顔信頼度判定部１１０により顔信頼度が基準顔信頼度より大きいと判定され、かつ顔向き判定部１１８により顔が向いている方向が、画像の法線方向を基準として画像の左右方向に予め定められた第１角度の範囲内にあると判定されたオブジェクトを含む画像を照合用の画像である第３画像として抽出してよい。第３画像抽出部１２０は、複数の第１画像及び少なくとも１つの第２画像の中から、顔信頼度判定部１１０により顔信頼度が基準顔信頼度より大きいと判定され、かつ顔向き判定部１１８により画像に含まれるオブジェクトの顔が画像の法線方向を基準として第１角度の範囲内にあり、かつ画像の上下方向に予め定められた第２角度の範囲内にあると判定されたオブジェクトを含む画像を照合用の画像である第３画像として抽出してよい。第３画像抽出部１２０は、複数の第１画像及び少なくとも１つの第２画像の中から、顔信頼度判定部１１０により顔信頼度が基準顔信頼度より大きいと判定され、かつ顔向き判定部１１８により画像に含まれるオブジェクトの顔が向いている方向が、画像の法線方向を基準として第１角度の範囲内にあり、かつ第２角度の範囲内にあり、画像の法線方向の軸を中心とした顔の回転角度が予め定められた第３角度の範囲内にあると判定されたオブジェクトを含む画像を照合用の画像である第３画像として抽出してよい。
【００４９】
送受信部１２２は、第３画像抽出部１２０により抽出された第３画像、及びその第３画像に含まれる顔に関する情報、撮像装置３０の設置場所に対応する情報、例えば、遊技台２０の台番号情報を生体情報認識装置２００に送信する。
【００５０】
画像処理ユニット１００は、正面などの予め定められた方向を向く顔が含まれる可能性が高い場合、時間間隔が通常よりも短いそれぞれの画像を処理する。画像処理ユニット１００は、正面の方向など予め定められた方向を向く顔を含む画像を短時間に効率的に抽出して、出力することができる。画像処理ユニット１００は、撮像装置３０が比較的に短い間隔で撮像した全ての画像に対して顔信頼度等を導出せずに済む。画像処理ユニット１００の処理の負担の増大を抑制できる。画像処理ユニット１００の処理速度の低下を抑制でき、生体情報認識装置２００による顔の照合の速度の低下を抑制できる。
【００５１】
図４は、生体情報認識装置２００の機能ブロックを示す図である。
【００５２】
生体情報認識装置２００は、照合部２１０、操作部２２０、及び検索部２２２を備える。照合部２１０は、第３画像抽出部１２０により抽出された画像に含まれる顔の画像を、生体情報データベース２３０に格納されている遊技者の顔の画像と照合する。操作部２２０は、遊技者の顔の画像に基づいて特定の情報を検索して表示する場合の表示条件を店員などのユーザから受け付ける。検索部２２２は、操作部２２０により受け付けられた表示条件に基づいて、生体情報データベース２３０を検索して、表示条件にあった遊技者の顔の画像、その遊技者が遊技した遊技台２０の台番号、その遊技者の遊技開始時間及び遊技終了時間などを検索結果として取得して、表示装置２５０に提供する。表示装置２５０は、検索部２２２による検索結果を表示する。
【００５３】
照合部２１０は、顔情報取得部２１１、特徴量抽出部２１２、類似度導出部２１３、類似度判定部２１４、類似度判定部２１４、及びデータベース登録部２１５を有する。顔情報取得部２１１は、画像処理ユニット１００から遊技者の顔の画像を含む顔情報を取得する。顔情報取得部２１１は、遊技者の顔の画像の他に、その遊技者が遊技中の遊技台の台番号、その画像が撮像された時刻情報などを画像処理ユニット１００から取得してよい。
【００５４】
特徴量抽出部２１２は、画像に含まれる顔の情報から、画像に含まれる顔の特徴量を抽出する。特徴量は、人物などの対象物を識別可能な情報であればよく、画像の画素値の情報、又は画像に含まれる顔の目、鼻、口の間隔又は大きさ、肌の色、髪型などの外見的特徴を数値で示した情報などでよい。
【００５５】
類似度導出部２１３は、特徴量抽出部２１２により抽出された顔の特徴量と、生体情報データベース２３０に格納されている各登録画像に含まれる各顔の特徴量との類似度を導出する。類似度判定部２１４は、導出された類似度が基準値以上あり、最も類似度が高い登録画像であるかどうかを判定する。データベース登録部２１５は、導出された類似度が基準値以上あり、類似度が最も高い登録画像を、画像処理ユニット１００により提供された今回の画像に含まれる顔の画像を用いて更新する。類似度判定部２１４により、類似度が基準値以上あり、類似度が最も高いと判定された登録画像が存在する場合、データベース登録部２１５は、今回の顔の画像を既存の登録遊技者の顔の画像として生体情報データベース２３０に登録する。一方、類似度判定部２１４により、類似度が基準値以上あり、類似度が最も高いと判定された登録画像が存在しない場合、今回の顔の画像を新規の未登録遊技者の顔の画像として生体情報データベース２３０に登録する。
【００５６】
図５は、表示装置２５０の機能ブロックを示す図である。表示装置２５０は、通信部２５２、画像処理部２５４、及び表示部２５６を有する。通信部２５２は、検索部２２２により検索された検索結果を受信する。画像処理部２５４は、表示フォーマットに従って検索結果に応じた表示用の画像データを作成する。表示部２５６は、作成された画像データを表示する。
【００５７】
図６は、画像取得部１０２による画像取得処理の手順を示すフローチャートである。画像取得部１０２は、予め定められた時間間隔毎に、例えば３０ｆｐｓで撮像装置３０から画像を取得する（Ｓ１００）。画像取得部１０２は、取得した画像を順次、先読み先出し方式で、画像格納部１０４に格納する（Ｓ１０２）。画像格納部１０４は、例えば、画像取得部１０２により取得された最新の３０枚の画像を格納する。
【００５８】
図７及び図８は、画像処理ユニット１００による画像抽出処理全体の手順を示すフローチャートである。図９は、第１画像抽出部１０６による通常画像抽出処理の手順を示すフローチャートである。図１０は、第２画像抽出部１１６による高速画像抽出処理の手順を示すフローチャートである。
【００５９】
第１画像抽出部１０６は、まず、前回顔向き情報を「ＮＵＬＬ」、通常抽出フレームＮｏ．を「０」、及び高速抽出フレームＮｏ．を「ＮＵＬＬ」に設定する（Ｓ２００）。第１画像抽出部１０６は、予め定められた第１時間間隔、例えば、３[a1]ｆｐｓで、画像格納部１０４から通常画像である第１画像を抽出する（Ｓ２０２）。
【００６０】
第１画像抽出部１０６は、図９に示すフローチャートに従って第１画像を抽出する。第１画像抽出部１０６は、通常抽出フレームＮｏ．に該当する画像が画像格納部１０４に既に格納されているか否かを判定する（Ｓ３００）。第１画像抽出部１０６は、該当する画像がなければ、該当する画像が画像格納部１０４に格納されるまで待機する。
【００６１】
該当する画像が画像格納部１０４に格納されていれば、第１画像抽出部１０６は、画像格納部１０４から通常抽出フレームＮｏ．に該当する画像を第１画像として抽出する（Ｓ３０２）。次いで、第１画像抽出部１０６は、通常抽出フレームＮｏ．を「＋１０」する（Ｓ３０４）。
【００６２】
第１画像抽出部１０６が第１画像を抽出した後、顔信頼度導出部１０８は、第１画像から顔に相当するオブジェクトを検出する（Ｓ２０４）。顔信頼度導出部１０８は、第１画像に含まれるオブジェクトの顔信頼度として、オブジェクトの特徴量及び器官信頼度を第１精度で導出する。さらに、顔向き特定部１１２が、第１画像に含まれるオブジェクトの顔の向きを特定する（Ｓ２０６）。
【００６３】
顔向き特定部１１２は、顔の向きが特定された第１画像が、２回目以降の顔検出での画像か否かを判定する（Ｓ２０８）。顔向き特定部１１２は、前回顔向き情報が「ＮＵＬＬ」であれば、最初の顔検出と判断し、「ＮＵＬＬ」でなければ、２回目以降の顔検出と判断する。
【００６４】
顔向き特定部１１２は、最初の顔検出であれば、特定された顔の向きの情報を前回顔向き情報として顔向き格納部１１４に記憶する（Ｓ２１４）。２回目以降の顔検出であれば、第２画像抽出部１１６が、今回、顔向き特定部１１２により特定された顔向きの左右角度が０度か否かを判定する。また、第２画像抽出部１１６は、顔向き格納部１１４に格納された前回の顔向きと、顔向き特定部１１２により特定された今回の顔向きとを比較して、今回の顔向きの左右角度と前回の顔向きの左右角度とが逆極性となったか否かを判定する（Ｓ２１０）。左右角度が０度でも、逆極性でもなかったら、顔向き特定部１１２は、特定された顔の向きの情報を前回顔向き情報として顔向き格納部１１４に記憶する（Ｓ２１４）。
【００６５】
左右角度が０度、又は逆極性であれば、第２画像抽出部１１６は、今回の顔向きの上下角度が０度であるか否かを判定する。また、第２画像抽出部１１６は、顔向き格納部１１４に格納された前回の顔向きと、顔向き特定部１１２により特定された今回の顔向きとを比較して、今回の顔向きの上下角度と前回の顔向きの上下角度とが逆極性となったか否かを判定する（Ｓ２１２）。上下角度が０度でも、逆極性でもなければ、顔向き特定部１１２は、特定された顔の向きの情報を前回顔向き情報として顔向き格納部１１４に記憶する（Ｓ２１４）。
【００６６】
左右角度が０度、又は左右角度が逆極性、かつ上下角度が０度、又は上下角度が逆極性であれば、画像処理ユニット１００は、高速抽出モードに移行する。まず、第２画像抽出部１１６は、通常抽出フレームＮｏ．を「−２」した値を高速抽出フレームＮｏ．とする。また、第２画像抽出部１１６は、通常抽出フレームＮｏ．を「−１０」した値をＥＮＤフレームＮｏ．とする（Ｓ２２０）。
【００６７】
次いで、第２画像抽出部１１６は、現在の高速抽出フレームＮｏ．がＥＮＤフレームＮｏ．より大きいか否かを判定する（Ｓ２２２）。大きければ、第２画像抽出部１１６は、高速画像抽出を実行する。第２画像抽出部１１６は、第１時間間隔より短い第２時間間隔毎に、例えば、１５ｆｐｓで、画像格納部１０４から画像を高速画像である第２画像として抽出する（Ｓ２２４）。
【００６８】
第２画像抽出部１１６は、図１０に示すフローチャートに従って第２画像を抽出する。第２画像抽出部１１６は、画像格納部１０４から高速抽出フレームＮｏ.に該当する画像を第２画像として抽出する（Ｓ４００）。次いで、第２画像抽出部１１６は、高速抽出フレームＮｏ．を「−２」する（Ｓ４０２）。
【００６９】
第２画像抽出部１１６が第２画像を抽出した後、顔信頼度導出部１０８が、第２画像に対して顔検出を実行し（Ｓ２２６）、第２画像に含まれる顔に相当するオブジェクトについて、特徴量及び器官信頼度を第２精度で導出する。さらに、顔向き特定部１１２が、第２画像に含まれる顔の向きを特定する（Ｓ２２８）。
【００７０】
第２画像抽出部１１６は、今回の第２画像の顔の左右角度と、前回の第２画像の顔の左右角度とが同極性となったか否かを判定する（Ｓ２３０）。同極性でなければ、第２画像抽出部１１６は、高速抽出モードを継続すべく、ステップＳ２２２以降のステップを繰り返す。
【００７１】
また、第２画像抽出部１１６は、今回の第２画像の上下角度と、前回の第２画像の上下角度とが同極性となったか否かを判定する（Ｓ２３２）。同極性でなければ、第２画像抽出部１１６は、高速抽出モードを継続すべく、ステップＳ２２２以降のステップを繰り返す。
【００７２】
同極性となった場合には、第２画像抽出部１１６は高速抽出モードを終了すべく、高速抽出フレームＮｏ．をＥＮＤフレームＮｏ．にする（Ｓ２３４）。高速抽出フレームＮｏ．がＥＮＤフレームＮｏ．に達すると、第２画像抽出部１１６は、高速抽出モードを終了する。
【００７３】
以上の通り、本実施形態に係る画像処理ユニット１００によれば、遊技者の顔が正面を向いた画像を抽出できる可能性が高い場合、画像格納部１０４に格納された画像を抽出する時間間隔を通常よりも短くして、顔検出を実行する画像の数を増加させる。これにより、画像処理ユニット１００は、処理負担の増大を抑制しつつ、遊技者の顔が正面を向いた画像をより効率的に抽出することができる。
【００７４】
例えば、図１１に示すように、前回の第１画像の顔の左右角度と、今回の第１画像の顔の左右角度との極性が同一である場合には、前回の第１画像と、今回の第１画像との間の他の画像の顔が正面を向く、つまり、顔の角度が０度に近い可能性が低い。一方、図１２及び図１３に示すように、前回の第１画像の顔の左右角度と、今回の第１画像の顔の左右角度との極性が逆である場合、前回の第１画像と、今回の第１画像との間の少なくとも一つの他の画像の顔が正面を向く、つまり、顔の角度が０度に近い可能性が高い。そこで、第２画像抽出部１１６は、今回の第１画像と前回の第１画像との間の画像を第２画像として抽出して、顔検出を実行する画像の枚数を増加させる。これにより、画像処理ユニット１００は、遊技者の顔が正面を向いた画像をより効率的に抽出することができる。
【００７５】
図１４は、本発明の複数の態様が全体的又は部分的に具現化されてよいコンピュータ１２００の例を示す。コンピュータ１２００にインストールされたプログラムは、コンピュータ１２００に、本発明の実施形態に係る装置に関連付けられる操作又は当該装置の１又は複数の「部」として機能させることができ、又は当該操作又は当該１又は複数の「部」を実行させることができ、及び／又はコンピュータ１２００に、本発明の実施形態に係るプロセス又は当該プロセスの段階を実行させることができる。そのようなプログラムは、コンピュータ１２００に、本明細書に記載のフローチャート及びブロック図のブロックのうちのいくつか又はすべてに関連付けられた特定の操作を実行させるべく、ＣＰＵ１２１２によって実行されてよい。
【００７６】
本実施形態によるコンピュータ１２００は、ＣＰＵ１２１２、ＲＡＭ１２１４、グラフィックコントローラ１２１６、及びディスプレイデバイス１２１８を含み、それらはホストコントローラ１２１０によって相互に接続されている。コンピュータ１２００はまた、通信インタフェース１２２２、ハードディスクドライブ１２２４、及びＩＣカードドライブのような入力／出力ユニットを含み、それらは入力／出力コントローラ１２２０を介してホストコントローラ１２１０に接続されている。コンピュータ１２００はまた、ＲＯＭ１２３０を含む。コンピュータ１２００は、キーボードのようなレガシの入力／出力ユニットを含み、それらは入出力チップ１２４０を介して入力／出力コントローラ１２２０に接続されている。
【００７７】
ＣＰＵ１２１２は、ＲＯＭ１２３０及びＲＡＭ１２１４内に格納されたプログラムに従い動作し、それにより各ユニットを制御する。グラフィックコントローラ１２１６は、ＲＡＭ１２１４内に提供されるフレームバッファ等又はそれ自体の中にＣＰＵ１２１２によって生成されたイメージデータを取得し、イメージデータがディスプレイデバイス１２１８上に表示されるようにする。
【００７８】
通信インタフェース１２２２は、ネットワークを介して他の電子デバイスと通信する。ハードディスクドライブ１２２４は、コンピュータ１２００内のＣＰＵ１２１２によって使用されるプログラム及びデータを格納する。ＩＣカードドライブは、プログラム及びデータをＩＣカードから読み取り、及び／又はプログラム及びデータをＩＣカードに書き込む。
【００７９】
ＲＯＭ１２３０はその中に、アクティブ化時にコンピュータ１２００によって実行されるブートプログラム等、及び／又はコンピュータ１２００のハードウェアに依存するプログラムを格納する。入出力チップ１２４０はまた、様々な入力／出力ユニットをパラレルポート、シリアルポート、キーボードポート、マウスポート等を介して、入力／出力コントローラ１２２０に接続してよい。
【００８０】
プログラムが、ＣＲ−ＲＯＭ、ＵＳＢ又はＩＣカードのようなコンピュータ可読記録媒体又はネットワークを介して提供される。プログラムは、コンピュータ可読記録媒体の例でもあるハードディスクドライブ１２２４、ＲＡＭ１２１４、又はＲＯＭ１２３０にインストールされ、ＣＰＵ１２１２によって実行される。これらのプログラム内に記述される情報処理は、コンピュータ１２００に読み取られ、プログラムと、上記様々なタイプのハードウェアリソースとの間の連携をもたらす。装置又は方法が、コンピュータ１２００の使用に従い情報の操作又は処理を実現することによって構成されてよい。
【００８１】
例えば、通信がコンピュータ１２００及び外部デバイス間で実行される場合、ＣＰＵ１２１２は、ＲＡＭ１２１４にロードされた通信プログラムを実行し、通信プログラムに記述された処理に基づいて、通信インタフェース１２２２に対し、通信処理を命令してよい。通信インタフェース１２２２は、ＣＰＵ１２１２の制御下、ＲＡＭ１２１４、ハードディスクドライブ１２２４、又はＩＣカードのような記録媒体内に提供される送信バッファ処理領域に格納された送信データを読み取り、読み取られた送信データをネットワークに送信し、又はネットワークから受信された受信データを記録媒体上に提供される受信バッファ処理領域等に書き込む。
【００８２】
また、ＣＰＵ１２１２は、ハードディスクドライブ１２２４、ＩＣカード等のような外部記録媒体に格納されたファイル又はデータベースの全部又は必要な部分がＲＡＭ１２１４に読み取られるようにし、ＲＡＭ１２１４上のデータに対し様々なタイプの処理を実行してよい。ＣＰＵ１２１２は次に、処理されたデータを外部記録媒体にライトバックする。
【００８３】
様々なタイプのプログラム、データ、テーブル、及びデータベースのような様々なタイプの情報が記録媒体に格納され、情報処理を受けてよい。ＣＰＵ１２１２は、ＲＡＭ１２１４から読み取られたデータに対し、本開示の随所に記載され、プログラムの命令シーケンスによって指定される様々なタイプの操作、情報処理、条件判断、条件分岐、無条件分岐、情報の検索／置換等を含む、様々なタイプの処理を実行してよく、結果をＲＡＭ１２１４に対しライトバックする。また、ＣＰＵ１２１２は、記録媒体内のファイル、データベース等における情報を検索してよい。例えば、各々が第２の属性の属性値に関連付けられた第１の属性の属性値を有する複数のエントリが記録媒体内に格納される場合、ＣＰＵ１２１２は、第１の属性の属性値が指定される、条件に一致するエントリを当該複数のエントリの中から検索し、当該エントリ内に格納された第２の属性の属性値を読み取り、それにより予め定められた条件を満たす第１の属性に関連付けられた第２の属性の属性値を取得してよい。
【００８４】
上で説明したプログラム又はソフトウェアモジュールは、コンピュータ１２００上又はコンピュータ１２００近傍のコンピュータ可読媒体に格納されてよい。また、専用通信ネットワーク又はインターネットに接続されたサーバーシステム内に提供されるハードディスク又はＲＡＭのような記録媒体が、コンピュータ可読媒体として使用可能であり、それによりプログラムを、ネットワークを介してコンピュータ１２００に提供する。
【００８５】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【００８６】
特許請求の範囲、明細書、及び図面中において示した装置、システム、プログラム、及び方法における動作、手順、ステップ、及び段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」等を用いて説明したとしても、この順で実施することが必須であることを意味するものではない。
【符号の説明】
【００８７】
１０  台間機
２０  遊技台
３０  撮像装置
３２  法線方向
７０  計数機
８０  精算機
９０  遊技者
１００  画像処理ユニット
１０２  画像取得部
１０４  画像格納部
１０６  第１画像抽出部
１０８  顔信頼度導出部
１１０  顔信頼度判定部
１１２  顔向き特定部
１１４  顔向き格納部
１１６  第２画像抽出部
１１８  顔向き判定部
１２０  第３画像抽出部
１２２  送受信部
２００  生体情報認識装置
２１０  照合部
２１１  顔情報取得部
２１２  特徴量抽出部
２１３  類似度導出部
２１４  類似度判定部
２１５  データベース登録部
２２０  操作部
２２２  検索部
２３０  生体情報データベース
２５０  表示装置
２５２  通信部
２５４  画像処理部
２５６  表示部
３００  遊技店管理装置
３３０  遊技台管理データベース
３５０  表示装置
４００  媒体貸出管理装置
４３０  媒体貸出管理データベース
４５０  表示装置
１０００  遊技システム
１２００  コンピュータ
１２１０  ホストコントローラ
１２１２  ＣＰＵ
１２１４  ＲＡＭ
１２１６  グラフィックコントローラ
１２１８  ディスプレイデバイス
１２２０  入力／出力コントローラ
１２２２  通信インタフェース
１２２４  ハードディスクドライブ
１２３０  ＲＯＭ
１２４０  入出力チップ
【図１】
2018036894.tif 000003
【図２】
2018036894.tif 000004
【図３】
2018036894.tif 000005
【図４】
2018036894.tif 000006
【図５】
2018036894.tif 000007
【図６】
2018036894.tif 000008
【図７】
2018036894.tif 000009
【図８】
2018036894.tif 000010
【図９】
2018036894.tif 000011
【図１０】
2018036894.tif 000012
【図１１】
2018036894.tif 000013
【図１２】
2018036894.tif 000014
【図１３】
2018036894.tif 000015
【図１４】
2018036894.tif 000016